(57)【要約】【課題】  ガス管や電線に埃がつきにくく、クリーンルームにも設置できるコンベアのためのパワー供給モジュールを有する押し出しトラックを提供する。【課題を解決するための手段】  パワー供給モジュールを有する押し出しトラックは、トラックフレーム、カバー板、ガス管、ソケット板、電気の供給回路などからなっている。そのトラックフレームのくぼんだ空間には、ガス管や電線がまとめて隠され、取り外し可能なカバー板で覆われている。【選択図】    図１
0003106759.tif 000002
【実用新案登録請求の範囲】
【請求項１】
長く延びてくぼんだ空間を持つトラックフレームであり、くぼんだ空間の開口に沿って、一対の鈎状になった溝があるトラックフレーム；
該トラックフレームと同じ幅で、トラックフレームの開口の鈎状になった溝とそれぞれかみ合う２つの鈎状メンバーを持つカバー板；
複数の管と複数の気密ガスコネクタからなるガス管であり、該ガス管がトラックフレームに沿ってカバー板の裏に埋め込まれ、該コネクタがトラックフレームの壁面に取り付けられているガス管；
などからなり、コンベアの周りのガス供給配管がコンベアの中にまとめられ、ガス管の保守が容易になることを特徴とするガスを動力とする工具のためのパワー供給モジュールを有する押し出しトラック。
【請求項２】
前記気密ガスコネクタがカバー板に設置されていることを特徴とする請求項１に記載のパワー供給モジュールを有する押し出しトラック。
【請求項３】
長く延びてくぼんだ空間を持つトラックフレームであり、くぼんだ空間の開口に沿って、一対の鈎状になった溝があるトラックフレーム；
該トラックフレームと同じ幅で、トラックフレームの開口の鈎状になった溝とそれぞれかみ合う２つの鈎状メンバーを持つカバー板；
トラックフレームと同じ幅で、トラックフレームの開口の鈎状になった溝とそれぞれかみ合う２つの鈎状メンバーを持つソケット板であり、該ソケット板がカバー板と緊密に結合できるようになっていて；
複数の電線で結合された複数のソケットからなる電源回路であり、該電源回路がトラックに沿って埋め込まれ、該ソケットがソケット板に取り付けられている電源回路；
などからなり、コンベアの周りの電源回路がコンベアの中にまとめられ、電源回路の保守が容易になることを特徴とするガスを動力とする工具のためのパワー供給モジュールを有する押し出しトラック。
【請求項４】
カバー板とかみ合うように、雄の留めメンバーを横方向の両側にもつソケット板と、ソケット板の留めメンバーとかみ合うように、雌の留めメンバーをもつカバー板を有する、請求項３に記載のパワー供給モジュールを有する押し出しトラック。
【考案の詳細な説明】
【技術分野】
【０００１】
この考案は、コンベアベルトに沿った押し出しトラックに関し、特に、パワー供給モジュール、ガス管および／または電源回路などを有する押し出しトラックに関する。
【背景技術】
【０００２】
従来のコンベアは、通常、製造部品を運搬するのに工場の中で使われ、ベルトにより連結されたローラーからなっている。コンベアの安定性を向上させるために、突き出たトラックフレームがコンベアの重要な部分として、広く使われている。
製造工程に応じて、製造サイトの様々な機能が、コンベアに沿って設けられている。電力で動く工具や空気圧で動く工具がそれらの製造サイトにあり、コンベアにはガス管や電線が取り付けられている。
しかし、ガス管や電線はコンベアの表面にむき出しになっており、ほこりで汚れやすい。さらには、それらのガス管や電線が作業者の作業を妨げるかもしれないという欠点があり、作業能率に影響するばかりでなく工場の見映えにも影響する。もし、コンベアをクリーンルームに設置するとすれば、粉状の微粒子がガス管や電線に付きやすく、クリーンルームの性能を著しく低下させるであろう。
【考案の開示】
【考案が解決しようとする課題】
【０００３】
本考案が解決しようとする課題は、ガス管や電線に埃がつきにくく、クリーンルームにも設置できるコンベアのためのパワー供給モジュールを有する押し出しトラックを提供することである。
【課題を解決するための手段】
【０００４】
上記の目的を達成するため、この考案に係わるパワー供給モジュールを有する押し出しトラックは、トラックフレーム、カバー板、ガス管、ソケット板、電気の供給回路などからなっている。そのトラックフレームのくぼんだ空間には、ガス管や電線がまとめて隠され、取り外し可能なカバー板で覆われている。
【考案の効果】
【０００５】
本考案によれば、ガス管や電線などのパワー供給モジュールの保守が容易であり、ほこりを貯めるという問題を回避できる。特に、クリーンルームに使用するコンベアに適している。
【考案を実施するための最良の形態】
【０００６】
図１を参照する。この考案に係わるパワー供給モジュールを有する押し出しトラックは、トラックフレーム１，カバー板４０，ソケット板３３，ガス管２，電源回路３０などからなっている。カバー板４０とソケット板３３はトラック１の開口部分を覆っていて、ガス管２と電源回路３０はカバー板４０とソケット板３３の後ろに隠されている。
【０００７】
図１に示すように、トラックフレーム１は、長さ方向に延びてくぼんだ空間１１を含んでいる。そのくぼんだ空間１１には、横方向に延びて、内側に鈎状になった溝１３がある。
ガス管２は、図１に示すように、Ｌ型（２１）、Ｔ型（２２）など、複数の気密を保ったコネクタと複数の管２３とからなっている。管２３は、図３に示すように、トラックフレーム１のくぼんだ空間１１に埋め込まれており、コネクタ２１，２２は、トラックフレーム１の垂直壁に固定されている。
【０００８】
電源回路３０は、図１に示すように、複数のソケット３１とソケット３１に接続した複数の電線３２からなり、電線３２はトラックフレーム１のくぼんだ空間１１に埋め込まれており、ソケット３１は、図４に示すように、ソケット板３３に固定されている。
【０００９】
図４に示すように、ソケット板３３には、くぼんだ空間１１の開口１２と同じ幅であり、長さ方向に延びた２つの鈎状メンバー３３１がある。鈎状メンバー３３１は、くぼんだ空間１１の開口１２に沿って、鈎状になった溝１３とかみ合っており、ソケット板３３がくぼんだ空間１１の開口１２に取り付けられている。ソケット板３３は、さらに図５に示すように、隣接のカバー板４０と結合するように、横の側に、雄の留めメンバー３３２を含んでいる。
【００１０】
図４に示すように、カバー板４０は、くぼんだ空間１１の開口１２と同じ幅であり、長さ方向に延びた２つの鈎状メンバー４１がある。鈎状メンバー４１は、くぼんだ空間１１の開口１２に沿って、鈎状になった溝１３とかみ合っており、カバー板４０がくぼんだ空間１１の開口１２に取り付けられている。カバー板４０は、さらに図５に示すように、隣接のソケット板３３の留めメンバー３３２とかみ合うように、横の側に、雌の留めメンバー４２を含んでいる。
【００１１】
本考案によるパワー供給モジュールを有する押し出しトラックは、ガス管や電線をトラックフレームの中にまとめているので、保守が容易であり、当該コンベアの周りを、埃がない状態に維持し易い。
【００１２】
ガス管２は、外部で、エアポンプで作られた圧搾空気を送り、コンベアに沿って配置された製造サイトの空気圧を動力とする工具を駆動するためのものである。電源回路３０は、外部の電源から電力を送り、コンベアに沿って配置された製造サイトの電気を動力とする工具を駆動するためのものである。そのため、コンベアの周囲の余分なガス管や電線の必要がなく、作業者の作業を妨げる可能性が少なくなる。
【００１３】
図３に示すように、製造サイトで空気圧を動力とする工具を駆動するために、工具は、トラックフレーム１に固定されているガスコネクタ２１，２２の１つに結合されていて、圧搾空気が工具に送り込まれることで、動作を開始する。
【００１４】
図４に示すように、製造サイトで電気を動力とする工具を使うために、工具のプラグがソケット板３３に取り付けられたソケット３１の１つに差し込まれ、工具は、電力を送られることによって動作を開始する。
【００１５】
図１に示すように、製造サイトで、空気圧を動力とする工具と電気を動力とする工具とを同時に使うために、工具は、トラックフレーム１に固定されているガスコネクタ２１，２２の１つに結合されていて、電動工具のプラグがソケット板３３に取り付けられたソケット３１の１つに差し込まれ、必要とする空気流と電力がそれぞれの工具に送られて、工具は動作を開始する。
【００１６】
さらに、本考案によるガス管２と電源回路３０は、図１に示すように、くぼんだ空間１１の中に配置されていて、電源回路３０とカバー板４０で覆われているので、ガス管２と電源回路３０は、埃による汚れから免れる。
【００１７】
さらに、カバー板４０とソケット板３３は、図３と４に示すように、鈎状メンバーでトラックフレーム１の開口１２に固定されている。そのため、カバー板４０とソケット板３３の取り外しが容易であり、保守に便利である。
【００１８】
さらに、気密ガスコネクタは、Ｌ型のコネクタ２１とＴ型のコネクタ２２に分類され、図１に示すように、Ｌ型のコネクタ２１はガス管の両端に設置され、Ｔ型のコネクタ２２は、２つの管２３を繋ぐために使われる。
【産業上の利用可能性】
【００１９】
本考案は、特に、クリーンルームに使用するコンベアに適している。
【図面の簡単な説明】
【００２０】
【図１】この考案によるパワー供給モジュールを有する押し出しトラックの透視図である。
【図２】パワー供給モジュールを有する押し出しトラックの断面図である。
【図３】図２での３−３面での断面図である。
【図４】図２での４−４面での断面図である。
【図５】図２での５−５面での断面図である。
【符号の説明】
【００２１】
１  トラック
２  ガス管
４０  カバー板
３３  ソケット板
３０  電源回路
１１  くぼんだ空間
２１  Ｌ型コネクタ
２２  Ｔ型コネクタ
２３  管
３１  ソケット
３２  電線
１２  開口
１３  鈎状になった溝
３３１  鈎状メンバー
３３２  雄の留めメンバー
４２  雌の留めメンバー
【図１】
0003106759.tif 000003
【図２】
0003106759.tif 000004
【図３】
0003106759.tif 000005
【図４】
0003106759.tif 000006
【図５】
0003106759.tif 000007